(57)【要約】【課題】基板上に保持されるＬＣＤ素子等の表示器の位置及び姿勢の安定性を向上させる。【解決手段】回路基板１０上にＬＣＤ素子２０を保持するための表示器用ホルダ４０。このホルダ４０は、ＬＣＤ素子２０の素子本体２２を支持する素子支持部４８と、当該素子本体２２を上下方向に挟持する第１挟持部５４及び第２挟持部５８とを備える。これら第１挟持部５４及び第２挟持部５８は、それぞれ素子本体２２を挟持する挟持面５６ａ、５８ａを有しており、これら挟持面５６ａ、５８ａは、回路基板１０から離れるに伴いそれらの距離が狭まるように前後方向に沿って傾斜しており、素子支持部４８に支持される素子本体２２に上下方向の両側から当接することにより当該素子本体２２を挟持するとともに、第１挟持部５４の弾発力を素子支持部４８側に素子本体２２を押し付ける力に変換して当該素子本体２２を素子支持部４８に押圧する。【選択図】図４
2011252995.tif 000002
【特許請求の範囲】
【請求項１】
基板及びこれに実装される表示器を備えた表示ユニットの当該基板に固定され、前記表示器をその表示面が基板とは反対側を向く姿勢で前記基板上に保持する表示器用ホルダであって、
前記表示器を前記基板の側から支持する支持部と、この支持部に支持される前記表示器の両側の位置であって前記表示面に沿った特定方向に互いに離間する位置にそれぞれ設けられ、当該表示器を前記特定方向に挟持する第１挟持部及び第２挟持部とを備え、
これら第１挟持部及び第２挟持部は、それぞれ前記表示器と接触してこれを挟持する挟持面を有し、かつ前記第１挟持部が前記特定方向に弾性変位可能に形成されており、
これら各挟持部の挟持面は、前記基板から離れるに伴い当該挟持面同士の距離が狭まるように前記特定方向と直交する方向に沿って傾斜しており、前記支持部に支持される表示器を前記第１挟持部の弾発力により挟持するとともに、前記弾発力を前記傾斜した挟持面が前記支持部側に当該表示器を押し付ける力に変換することを特徴とする表示器用ホルダ。
【請求項２】
基板と、これに実装される表示器と、この表示器をその表示面が前記基板とは反対側を向く姿勢で前記基板上に保持する表示器用ホルダとを備える表示ユニットであって、
前記表示器用ホルダとして請求項１に記載の表示器用ホルダを備えていることを特徴とする表示ユニット。
【請求項３】
請求項２に記載の表示ユニットにおいて、
前記表示器は一方向に延びる形状を有しており、
前記表示器用ホルダは、前記表示器と同方向に延びる形状を有しかつその長手方向の両側にそれぞれ前記第１、第２挟持部を備えており、当該第１、第２挟持部により前記表示器をその長手方向と直交する方向に挟持することを特徴とする表示ユニット。
【請求項４】
請求項３に記載の表示ユニットにおいて、
前記表示器は、その長手方向における第１、第２挟持部の挟持位置よりも内側の位置であって前記長手方向と直交する方向の一端側の位置に、前記長手方向に互いに平行に並びかつ前記表示面とは反対側に向かって延びる複数の端子を備えており、
前記表示器用ホルダは、前記基板に形成される端子孔にそれぞれ前記端子が挿入される状態で当該基板上に前記表示器を保持することが可能な形状を有しており、
前記第１挟持部は、前記表示器を挟んで前記端子が設けられる側とは反対側の位置に設けられていることを特長とする表示ユニット。
【発明の詳細な説明】
【技術分野】
【０００１】
本発明は、プリント基板等にＬＣＤ（Ｌｉｑｕｉｄ  Ｃｒｙｓｔａｌ  Ｄｉｓｐｌａｙ）やＶＦＤ（Ｖａｃｕｕｍ  Ｆｌｕｏｒｅｓｃｅｎｔ  Ｄｉｓｐｌａｙ）などの表示器を保持するための表示器用ホルダ及び同ホルダを備えた表示ユニットに関するものである。
【背景技術】
【０００２】
従来から、ＬＣＤ表示ユニットを組み込んだ電気機器が知られている。例えば特許文献１には、図５に示すようなＬＣＤ表示ユニットが組み込まれたものが記載されている。
【０００３】
このＬＣＤ表示ユニットは、回路基板７０と、その上に実装されるＬＣＤ素子８０と、前記回路基板７０上に固定されてＬＣＤ素子８０を保持するＬＣＤホルダ（表示器用ホルダ）９０とを備える。前記ＬＣＤ素子８０は、ＬＣＤホルダ９０に保持される本体部分８２と図略の端子とを有し、これらの端子が回路基板７０にはんだ付けされている。
【０００４】
ＬＣＤホルダ９０は、ＬＣＤ素子８０の支持部９２と、この支持部９２の両側に位置するリブ９４および付勢部９６とを有する。前記支持部９２は、リブ９４及び付勢部９６の間にＬＣＤ素子８０の本体部分８２が介在した状態で当該本体部分８２を支持する。前記付勢部９６は、ばね構造を有し、その弾発力により本体部分８２を押圧してリブ９４に押し当てる。前記付勢部９６は、その先端に爪９８を有し、この爪９８が前側から本体部分８２に係合することでＬＣＤ素子８０がＬＣＤホルダ９０に係止される。
【先行技術文献】
【特許文献】
【０００５】
【特許文献１】特開２０００−４０８７号公報
【発明の概要】
【発明が解決しようとする課題】
【０００６】
特許文献１のＬＣＤ表示ユニットでは、付勢部９６がＬＣＤ素子８０をリブ９４に押し当ててその爪９８がＬＣＤ素子８０の片側（同図では下側）を係止するのみであるため、ＬＣＤ素子８０の端子を回路基板上にはんだ付けする際にユニット全体の姿勢を変えると、同図中に破線矢印で示すように爪９８の係合部分を支点としてＬＣＤ素子８０の本体部分８２が傾き、当該本体部分８２が支持部９２から浮き上がった状態ではんだ付けが行われてしまうといった組立不良を招くおそれがある。
【０００７】
本発明は、上記のような事情に鑑みてなされたものであり、基板上に保持されるＬＣＤ素子等の表示器の位置及び姿勢の安定性をより向上させることを目的とする。
【課題を解決するための手段】
【０００８】
上記課題を解決するための本発明は、基板及びこれに実装される表示器を備えた表示ユニットの当該基板に固定され、前記表示器をその表示面が基板とは反対側を向く姿勢で前記基板上に保持する表示器用ホルダであって、前記表示器を前記基板の側から支持する支持部と、この支持部に支持される前記表示器の両側の位置であって前記表示面に沿った特定方向に互いに離間する位置にそれぞれ設けられ、当該表示器を前記特定方向に挟持する第１挟持部及び第２挟持部とを備え、これら第１挟持部及び第２挟持部は、それぞれ前記表示器と接触してこれを挟持する挟持面を有し、かつ前記第１挟持部が前記特定方向に弾性変位可能に形成されており、これら各挟持部の挟持面は、前記基板から離れるに伴い当該挟持面同士の距離が狭まるように前記特定方向と直交する方向に沿って傾斜しており、前記支持部に支持される表示器を前記第１挟持部の弾発力により挟持するとともに、当該弾発力を前記傾斜した挟持面が前記支持部側に当該表示器を押し付ける力に変換するように形成されているものである。
【０００９】
また、基板と、これに実装される表示器と、この表示器をその表示面が前記基板とは反対側を向く姿勢で前記基板上に保持する表示器用ホルダとを備える表示ユニットであって、表示器用ホルダとして上記のような表示器用ホルダを備えているものである。
【００１０】
これらの表示器用ホルダおよび表示ユニットでは、表示器は表示器用ホルダの支持部に支持され、第１挟持部の弾発力により第１、第２挟持部によって前記特定方向に挟持された状態で表示器用ホルダに保持される。その際、第１、第２挟持部の前記傾斜した挟持面により第１挟持部の弾発力が表示器を前記支持部側に押し付ける力に変換され、これにより表示器が確実に支持部に押し付けられて支持された状態が維持される。従って、表示器用ホルダに保持された表示器が支持部から浮き上がるといった不都合を未然に防止することが可能となる。
【００１１】
このような表示ユニットにおいて、前記表示器は一方向に延びる形状を有しており、前記表示器用ホルダは、前記表示器と同方向に延びる形状を有しかつその長手方向の両側にそれぞれ前記第１、第２挟持部を備えており、当該第１、第２挟持部により前記表示器をその長手方向と直交する方向に挟持する。
【００１２】
この構成によれば、表示器はその長手方向の両端部位の位置のみで安定的に基板上に保持され、これにより各挟持部が表示の邪魔になることが避けられる。
【００１３】
なお、このような表示ユニットにおいて、前記表示器は、その長手方向における第１、第２挟持部の挟持位置よりも内側の位置であって前記長手方向と直交する方向の一端側の位置に、前記長手方向に互いに平行に並びかつ前記表示面とは反対側に向かって延びる複数の端子を備えており、前記表示器用ホルダは、前記基板に形成される端子孔にそれぞれ前記端子が挿入される状態で当該基板上に前記表示器を保持することが可能な形状を有しており、前記第１挟持部は、前記表示器を挟んで前記端子が設けられる側とは反対側の位置に設けられている。
【００１４】
この表示ユニットによれば、次のような組み立て手順で組み立てることが可能であり、これにより組み立て性が良好なものとなる。すなわち、表示器の各端子をそれぞれ回路基板の端子孔に挿入し、この状態で、まず表示器の一端のうち端子が設けられる側を基板上に固定された表示器用ホルダの両挟持部の間に介在させつつ第２挟持部に押し当て、その後、表示器全体を両挟持部の間に押し込みながら第１挟持部を外側に弾性変位させて両挟持部により表示器を挟持させる。これにより表示器用ホルダに表示器を保持させる。このような組み立て手順によれば、表示器の各端子を回路基板の端子孔に挿入した状態を保ちながら両挟持部により表示器を挟持させる作業を行うことが可能であるため、表示器を表示器用ホルダに保持させる際に、一旦端子孔に挿入された端子が端子孔から抜け出す等の煩雑さを回避しつつ容易に表示器を表示器用ホルダに保持させることが可能となる。
【発明の効果】
【００１５】
以上説明したように、本発明の表示器用ホルダによれば、支持部により支持された表示器を第１挟持部の弾発力によりその両側から挟持するとともに、この第１挟持部の弾発力を支持部側への表示器の押し付け力に変換して当該支持部に表示器を押し付けるように構成されているので、表示器用ホルダに保持された表示器が支持部から浮き上がる等の不都合を防止することが可能であり、これにより基板上に保持される表示器の位置及び姿勢の安定性が向上する。
【００１６】
そして、この表示器用ホルダを備える本発明の表示ユニットによれば、上記の通り基板上における表示器の位置及び姿勢の安定性が向上するため、当該表示ユニットが組込まれる電気機器において表示器の傾きや位置のバラツキに起因する表示不良や外観不良の発生を未然に防止することが可能となる。
【図面の簡単な説明】
【００１７】
【図１】本発明に係る表示ユニットの実施形態であるＬＣＤ表示ユニット（本発明に係る表示器用ホルダが適用される表示ユニット）を示す斜視分解図である。
【図２】ＬＣＤ表示ユニットを示す平面図である。
【図３】ＬＣＤ表示ユニットを示す断面図（図２のIII−III線断面図）である。
【図４】ＬＣＤ示ユニットを示す断面図（図２のIV−IV線断面図）である。
【図５】従来のＬＣＤ表示ユニットの一例を示す断面図である。
【発明を実施するための形態】
【００１８】
以下、添付図面を参照しながら本発明の好ましい実施の一形態について詳述する。
【００１９】
図１〜図３は、本発明にかかるＬＣＤ（Ｌｉｑｕｉｄ  Ｃｒｙｓｔａｌ  Ｄｉｓｐｌａｙ）表示ユニット（本発明に係る表示器用ホルダが適用された表示ユニット）を示しており、図１は分解斜視図で、図２は平面図で、図３は断面図でそれぞれＬＣＤ表示ユニット（以下、表示ユニットと略す）を示している。この表示ユニットは、車両に搭載されるエアコン操作装置に組込まれるもので、当該エアコン操作装置の操作に応じてエアコンの設定温度、ブロア強度、運転モード及び時刻などを横一列に表示するものである。
【００２０】
表示ユニットは、所謂バックライト方式のユニットであり、ＬＥＤ素子１２（図３に示す）が実装された回路基板１０と、上記設定温度等を表示するためのＬＣＤ素子２０（本発明の表示器に相当する）と、ＬＣＤ素子２０に照射する光を拡散させるための光拡散板３０と、ＬＣＤ素子２０および光拡散板３０を回路基板１０上に固定するための表示器用ホルダ４０とを備えている。
【００２１】
回路基板１０の表面には、バックライト光源となる複数の前記ＬＥＤ素子１２が実装されており、当例では、ＬＣＤ素子２０の後記表示面２２ａの長手方向（図２では左右方向）に沿って複数のＬＥＤ素子１２が一定間隔で一列に配列された状態で回路基板１０に実装されている。これらＬＥＤ素子１２は回路基板１０の法線方向に光を照射する。
【００２２】
そして、これらＬＥＤ素子１２の前方の位置に前記ＬＣＤ素子２０及び光拡散板３０が前記表示器用ホルダ４０に保持された状態で配置されている。
【００２３】
ＬＣＤ素子２０は、表示面２２ａを有する左右方向（図２で左右方向）に細長い長方形状の素子本体２２と、この素子本体２２の長手方向中央部に設けられる複数の端子２４とを備える。各端子２４は前記表示面２２ａとは反対側に向かって当該表示面２２ａとほぼ直交する方向に延び、かつ素子本体２２の一辺に沿って互いに平行に並んでいる。他方、前記回路基板１０には、これら端子２４に対応した端子孔（スルーホール）１６が形成されており、これら端子孔１６にＬＣＤ素子２０の各端子２４がそれぞれ挿入されかつ基板上回路に半田付けされることによりＬＣＤ素子２０が当該回路基板１０に固定されている。
【００２４】
光拡散板３０は、上記ＬＥＤ素子１２から投光される光を拡散させるもので、当例では、ＬＣＤ素子２０（素子本体２２）と同方向に細長い長方形状をなし、例えば乳白色のアクリルやポリカーボネート等の材料から全体が形成されている。
【００２５】
光拡散板３０は、ＬＣＤ素子２０の表示面２２ａとほぼ同等の大きさを有しており、後述するように素子本体２２の裏側（表示面２２ａとは反対側）に配置された状態で表示器用ホルダ４０に保持されている。この光拡散板３０は、その長手方向両端に、同方向に撓み変形可能な形状を有しかつ先端に爪部３４を備えた係止片３２をそれぞれ備えており、これら係止片３２を介して表示器用ホルダ４０に係止されている。
【００２６】
表示器用ホルダ４０は、ＬＣＤ素子２０と光拡散板３０とを、これらと回路基板１０との間に一定間隔を隔てた状態で当該回路基板１０上に保持するものである。
【００２７】
この表示器用ホルダ４０は、ＬＣＤ素子２０と同方向に細長い直方体状をなし、全体が樹脂材料により形成されている。表示器用ホルダ４０は、その長手方向と直交する方向においてその一方側に向かって開口しかつ長手方向に延びる細長い凹部４２を有する。
【００２８】
表示器用ホルダ４０のうち前記凹部４２が開口する側（以下、前側とする）とは反対側（後側とする）の端部は回路基板１０への固定部とされ、その四隅には係止爪４４が形成されている。他方、前記回路基板１０には、これら係止爪４４に対応する係止孔１４が形成されており、前記各係止爪４４がそれぞれ係止孔１４に挿入されて回路基板１０に裏側から係合することにより表示器用ホルダ４０が当該回路基板１０に固定されている。
【００２９】
表示器用ホルダ４０の前記凹部４２の内底部には、その長手方向に一定の間隔で前後方向に貫通する複数の開口４２ａが形成されている。これらの開口４２ａは回路基板１０の前記ＬＥＤ素子１２の配置に対応して形成されており、従って、上記のようにホルダ４０が回路基板１０に固定されることにより、前記ＬＥＤ素子１２が開口４２ａを通じて前記凹部４２の内側に配置されている。
【００３０】
表示器用ホルダ４０の前端部は、ＬＣＤ素子２０及び光拡散板３０の保持部とされ、ここには、光拡散板３０を後側から支持する拡散板支持部４６と、これに支持される光拡散板３０を外側から囲むように形成される壁部からなりかつ前記光拡散板３０よりも前側の位置でＬＣＤ素子２０の素子本体２２を後側から支持する素子支持部４８と、当該素子支持部４８に支持されたＬＣＤ素子２０の外周部分に断続的に形成される壁部５０と、素子支持部４８に支持された素子本体２２を挟持するための挟持手段とが設けられている。
【００３１】
拡散板支持部４６は、光拡散板３０をその周縁部で全周に亘って支持するように形成されている。この拡散板支持部４６のうち光拡散板３０の長手方向両端部位を支持する位置には、それぞれ光拡散板３０を位置決めするための一対の突起４７が設けられている。他方、前記光拡散板３０には、これら突起４７に対応する貫通孔３６が形成されており、これら貫通孔３６に突起４７が挿入されることにより表示器用ホルダ４０に対して光拡散板３０がその長手方向及び短手方向に位置決めされる。
【００３２】
前記素子支持部４８は、拡散板支持部４６に支持される光拡散板３０をその四隅以外の部分で取り囲むように形成されている。この素子支持部４８のうち、前記拡散板支持部４６に支持される光拡散板３０の長手方向両端に対向する位置には、それぞれ当該光拡散板３０を表示器用ホルダ４０に係止するための係止部５２が設けられている。これら係止部５２は内向きに開く凹部からなり、拡散板支持部４６に光拡散板３０が支持された状態で前記各係止片３２の爪部３４がそれぞれ当該係止部５２に挿入されることにより当該光拡散板３０が表示器用ホルダ４０に係止されるようになっている。
【００３３】
前記素子支持部４８に支持される素子本体２２を挟持するための挟持手段は、表示器用ホルダ４０の長手方向両端部位にそれぞれ設けられている。
【００３４】
各挟持手段は、図１及び図２に示すように、前記素子支持部４８に支持される素子本体２２を上下方向（図１で上下方向；素子本体２２の短手方向）両側からそれぞれ挟持する第１挟持部５４及び第２挟持部５８からなる。
【００３５】
図４に示すように、第１挟持部５４は、拡散板支持部４６の位置から前方に延びる腕部５５とその先端に形成される爪部５６とを備え、上下方向に弾性変形可能に形成されている。爪部５６は、前記素子支持部４８に支持された素子本体２２に対してその下側から接触する挟持面５６ａと、これより前側に位置し、後述する組立時に素子本体２２を案内するための案内面５６ｂを有している。一方、第２挟持部５８は、素子支持部４８の長手方向において前記第１挟持部５４に合致する位置に設けられている。この第２挟持部５８は、前記素子支持部４８に支持された素子本体２２の上部に位置する前記壁部５０に下向きに突出するように形成されたリブからなり、前記素子本体２２に対してその上側から接触する挟持面５８ａを有する。これにより、前記素子支持部４８上に支持される素子本体２２を前記第１挟持部５４の弾発力により両挟持部５４、５８により上下方向に挟持するようになっている。
【００３６】
ここで、第１挟持部５４及び第２挟持部５８は、同図に示すように、回路基板１０から離れるに伴い挟持面５６ａ、５８ａ同士の距離が狭まるように前後方向に沿って傾斜している。具体的には、第１挟持部５４の挟持面５６ａは後側から前側に向かって先上がりの傾斜面とされる一方で、第２挟持部５８の挟持面５８ａは後側から前側に向かって先下がりの傾斜面とされている。この構成により、第１挟持部５４の弾発力により両挟持部５４、５８の挟持面５６ａ、５８が上下両側から素子本体２２に接触して当該素子本体２２が両挟持部５４、５８により挟持される一方で、前記傾斜した各挟持面５６ａ、５８ａにより前記第１挟持部の弾発力が素子本体２２を素子支持部４８側に押し付ける力に変換されて当該素子本体２２が素子支持部４８に押し付けられるようになっている。
【００３７】
表示器用ホルダ４０の側面部分（図１、図２では上面部分）であってその長手方向の中間部分には、当該ユニットの組立時に、ＬＣＤ素子２０の各端子２４を回路基板１０の端子孔１６に導くための端子案内部６０が設けられている。
【００３８】
この端子案内部６０には、ＬＣＤ素子２０の前記端子２４と同数のガイド孔（図示省略）が表示器用ホルダ４０の長手方向に一列に形成されるとともに、これらガイド孔に各端子２４を個別に案内するための前後方向に延びるガイド溝６２が設けられている。前記各ガイド孔は、ＬＣＤ素子２０の各端子２４をそれらの配列を維持しつつ回路基板１０側に貫通させることが可能となるように前後方向に貫通する貫通孔からなり、表示器用ホルダ４０が回路基板１０に固定された状態において、それぞれ回路基板１０の前記各端子孔１６とそれぞれ一致するように設けられている。
【００３９】
なお、ＬＣＤ素子２０および光拡散板３０は、以下のようにしてホルダ４０に保持されている。まず、回路基板１０に固定された表示器用ホルダ４０に対して光拡散板３０が保持される。具体的には、光拡散板３０がその両側の各係止片３２を内側に弾性変位させた状態で前側から拡散板支持部４６上に支持され、各係止片３２の弾性復帰により各係止片３２の爪部３４がそれぞれ前記係止部５２に挿入されることにより当該光拡散板３０が表示器用ホルダ４０に係止されている。この際、拡散板支持部４６の突起４７が光拡散板３０の拡散板支持部４６に挿入されることにより光拡散板３０が位置決めされる。
【００４０】
次に、ＬＣＤ素子２０の素子本体２２が素子支持部４８に支持され、この状態で素子本体２２の長手方向両端部位が第１挟持部５４及び第２挟持部５８により挟持される。これによりＬＣＤ素子２０および光拡散板３０が互いに前後方向に並んだ状態で表示器用ホルダ４０により保持されている。
【００４１】
なお、ＬＣＤ素子２０を表示器用ホルダ４０に保持させる際には、まず、ＬＣＤ素子２０の各端子２４を端子案内部６０のガイド溝６２に沿ってそれぞれガイド孔に挿入し、当該ガイド孔を通じて回路基板１０の各端子孔１６に端子２４を挿入しておき、この状態で、素子本体２２の上端部（端子２４が設けられる側）を両挟持部５４、５８の間に介在させつつ等第２挟持部５８の挟持面５８ａに当接させる。次いで、素子本体２２の下端部を第１挟持部５４の爪部５６に押し当て、その案内面５６ｂに沿って素子本体２２を素子支持部４８の側に押し込む。この際、爪部５６の挟持面５６ａは表示器用ホルダ４０の前側から後側に向かって先上がりの形状であり、これにより素子本体２２を押し込むに伴い第１挟持部５４が自ずと下向きに弾性変形する。
【００４２】
このようにして素子本体２２をその裏面が素子支持部４８に当接する位置まで押し込むと、第１挟持部５４が弾性復帰して第１挟持部５４及び第２挟持部５８の各挟持面５６ａ、５８ａがそれぞれ素子本体２２の上下両端に当接し、これにより両挟持部５４、５８により素子本体２２が上下方向に挟持さるとともに、素子本体２２が第１挟持部５４の弾発力により素子支持部４８側に押し付けられる。そして、この状態で、各端子２４が回路基板１０の基板上回路に半田付けされることにより当該ＬＣＤ素子２０が回路基板１０に固定される。
【００４３】
以上のような本発明の表示ユニットによれば、ＬＣＤ素子２０は、その素子本体２２が表示器用ホルダ４０の素子支持部４８に支持され、第１挟持部５４の弾発力により両挟持部５４、５８によって上下方向に挟持された状態で当該表示器用ホルダ４０に保持される。この際、第１、第２挟持部５４，５８の前記傾斜した挟持面５６ａ、５８ａにより第１挟持部５４の弾発力が素子本体２２を素子支持部４８側に押し付ける力に変換され、これによって素子本体２２が素子支持部４８に確実に押し付けられた状態で保持される、そのため、表示器用ホルダ４０に保持されたＬＣＤ素子２０が素子支持部４８から浮き上がるといった不都合が未然に防止されることとなる。
【００４４】
従って、この表示ユニットによれば、表示器用ホルダ４０により回路基板１０上に保持されるＬＣＤ素子２０の位置及び姿勢の安定性が向上し、さらに、この表示ユニットが組み込まれるエアコン操作装置（電気機器）においては、ＬＣＤ素子２０の傾きや位置のバラツキに起因する表示不良や外観不良等の発生を未然に防止することができるようになる。
【００４５】
なお、上述した表示ユニットは、本発明にかかる表示ユニットの好ましい実施形態の例示であって、表示ユニットやこれに適用される表示器用ホルダ４０の具体的な構成は本発明の要旨を逸脱しない範囲で適宜変更可能である。
【００４６】
例えば、この実施形態では、表示器用ホルダ４０の第１挟持部５４及び第２挟持部５８は、ＬＣＤ素子２０の長手方向両端部の位置のみで素子本体２２を挟持するが、これ以外の位置で素子本体２２を挟持するものであってもよい。但し、ＬＣＤ素子２０はガラス素材で構成されており撓みや変形が比較的生じ難いため、実施形態のように素子本体２２の長手方向両端部を挟持する構成によれば、ＬＣＤ素子２０の表示を邪魔することなく、少ない挟持部の数で素子本体２２の全体を安定的に保持することが可能となる。
【００４７】
また、実施形態では、表示器用ホルダ４０の第１挟持部５４及び第２挟持部５８は、互いに上下に合致する位置に設けられているが（図２参照）、これら挟持部５４、５８は表示器用ホルダ４０の長手方向に互いにオフセットされていてもよい。
【００４８】
また、実施形態の表示器用ホルダ４０は、素子支持部４８を有しており、この素子支持部４８によりＬＣＤ素子２０（素子本体２２）を支持するように構成されているが、例えば素子本体２２を直接光拡散板３０に重ねて当該光拡散板３０で支持するようにしてもよい。つまり、光拡散板３０が本発明の支持部として機能するように構成してもよい。この構成によれば、両挟持部５４、５８により素子本体２２を挟持しつつ第１挟持部５４の弾発力より素子本体２２を隙間無く光拡散板３０に押し付けた状態で保持することが可能となる。
【００４９】
また、実施形態では、本発明の適用例として回路基板１０上にＬＣＤ素子２０が保持されるＬＣＤ表示ユニットについて説明したが、勿論、回路基板１０上にＶＦＤ（Ｖａｃｕｕｍ  Ｆｌｕｏｒｅｓｃｅｎｔ  Ｄｉｓｐｌａｙ）等のその他の表示器が保持される表示ユニットについても本発明は適用可能である。
【符号の説明】
【００５０】
１０  回路基板
１２  ＬＥＤ素子
２０  ＬＣＤ素子（表示器）
２２  素子本体
２４  端子
３０  光拡散板
４０  表示器用ホルダ
４６  拡散板支持部
４８  素子支持部（支持部）
５４  第１挟持部
５６  爪部
５６ａ  挟持面
５８  第２挟持部
５８ａ  挟持面
【図１】
2011252995.tif 000003
【図２】
2011252995.tif 000004
【図３】
2011252995.tif 000005
【図４】
2011252995.tif 000006
【図５】
2011252995.tif 000007